(57)【特許請求の範囲】
【請求項１】
上方に開口したトレイ状の底板部と、下方に開口したトレイ状の天板部と、前記底板部と前記天板部とを接続する側板部とから箱状に構成されたヒートポンプユニットの外装構造であって、
前記側板部の上端部と前記天板部の周縁部とを固定する固定部には、前記側板部の上端部を段差部を介して内側へ変位させた上端変位板部が設けられ、前記天板部の周縁部は前記上端変位板部を外側から覆うように形成されていると共に、前記天板部の角部周縁部の下端部に切欠き部が形成されたことを特徴とするヒートポンプユニットの外装構造。
【請求項２】
前記切欠き部の高さは前記段差部の曲げ半径以上の高さであることを特徴とする請求項１に記載のヒートポンプユニットの外装構造。
【請求項３】
前記切欠き部は前記角部周縁の両側に所定長さだけ延びるように形成されたことを特徴とする請求項１又は２に記載のヒートポンプユニットの外装構造。
【発明の詳細な説明】
【技術分野】
【０００１】
本発明は、ヒートポンプユニットの外装構造に関し、特に天板部の周縁部の下端部で側板部の外面を傷つけないように構成したものに関する。
【背景技術】
【０００２】
ヒートポンプユニットの外装構造として、上方に開口したトレイ状の底板部と、下方に開口したトレイ状の天板部と、前記底板部と前記天板部とを接続する側板部とから箱状に構成したものが採用される場合がある。底板部と天板部と側板部は塗装鋼板製である。
上記側板部の上端部には段差部を介して天板部の周縁部の板厚と同程度内側へ変位させた上端変位板部が形成され、天板部の周縁部を前記の上端変位板部に外嵌状に係合させて複数のビスで固定している。
【０００３】
ヒートポンプユニットの梱包は、ヒートポンプユニットの下部を梱包する下部梱包材と、ヒートポンプユニットの上部を梱包する上部梱包材とを縦巻きにした２本の梱包テープにて縛った構造とする場合が多い。この場合、ヒートポンプユニットの輸送時に、梱包したヒートポンプユニットを上下に２段又は３段積み重ねた状態で輸送する際には、ヒートポンプユニットの外装構造に、上側に積み重ねたヒートポンプユニットの重量（荷重）が作用することになる。
【０００４】
特許文献１の空調機の外装ケースは、前面板と背面板と天板とを有し、背面板の上端部に段差部と複数の凸部が形成され、天板部の周縁壁部の下端部にはＵ字状に内側へ折り曲げたカーリング部が形成され、カーリング部のうちの４個所のコーナーＲ部の端面近傍部はノコ刃状に形成されている。天板部の周縁壁部のカーリング部を背面板の上端部に係合させて複数の凸部に係合させると共に、ノコ刃状部分の弾性力で保持力を発揮させる。
【先行技術文献】
【特許文献】
【０００５】
【特許文献１】特許第２９５００６３号公報
【発明の概要】
【発明が解決しようとする課題】
【０００６】
梱包状態のヒートポンプユニットを２段又は３段積み重ねた状態で輸送する際に、天板部に荷重が作用し、天板部が弾性的に下方へ変形するため、天板部の周縁部の下端部が、側板部の上端部の段差部に押圧状に接触し、その状態で振動が作用するため段差部の塗膜（塗装鋼板の塗膜）を傷付け、その後ヒートポンプユニットの使用中に塗膜の損傷個所から錆が発生するという問題があった。
【０００７】
ここで、段差部が直線的に延びる直線部においては、天板部の周縁部の下端部から段差部に荷重が作用したとき、側板部の上端部とその段差部が内側へ変位し易いため塗膜が傷つきにくい。しかも、側板部の段差部と天板部の周縁部との間に下方から合成樹脂製フィルム片を差し込んで固定用のテープで固定することで塗膜の損傷を防止可能であった。
【０００８】
しかし、４個所の角部においては、天板部の角部周縁部から段差部に荷重が作用したとき、側板部の上端部と段差部が内側へ変位しないため塗膜が傷つき易い。
【０００９】
特に、角部では、直線部のように側板部の段差部と天板部の周縁部との間に下方から合成樹脂製フィルム片を差し込むことはできないため、組み立て段階においてフィルム片を装着する必要があるうえ、ヒートポンプユニットの据え付け後にフィルム片を取り外すには、天板部を側板部から取り外す必要があるため、この方法はコスト高になり到底採用できない。
【００１０】
特許文献１の天板部の周縁部にカーリングを形成する技術は、装置の小型化の要請に反し、製作費も高価になるため、実用性に欠ける。
【００１１】
本発明の目的は、天板部の角部周縁部で側板部の段差部を傷付けるのを簡単な構造でもって防止可能にしたヒートポンプユニットの外装構造を提供することである。
【課題を解決するための手段】
【００１２】
請求項１のヒートポンプユニットの外装構造は、上方に開口したトレイ状の底板部と、下方に開口したトレイ状の天板部と、前記底板部と前記天板部とを接続する側板部とから箱状に構成されたヒートポンプユニットの外装構造であって、前記側板部の上端部と前記天板部の周縁部とを固定する固定部には、前記側板部の上端部を段差部を介して内側へ変位させた上端変位板部が設けられ、前記天板部の周縁部は前記上端変位板部を外側から覆うように形成されていると共に、前記天板部の角部周縁部の下端部に切欠き部が形成されたことを特徴としている。
【００１３】
請求項２のヒートポンプユニットの外装構造は、請求項１の発明において、前記切欠き部の高さは前記段差部の曲げ半径以上の高さであることを特徴としている。
【００１４】
請求項３のヒートポンプユニットの外装構造は、請求項１又は２の発明において、前記切欠き部は前記角部周縁の両側に所定長さだけ延びるように形成されたことを特徴としている。
【発明の効果】
【００１５】
請求項１の発明によれば、ヒートポンプユニットの外装構造が底板部と天板部と側板部とから箱状に構成されており、側板部の上端部と前記天板部の周縁部とを固定する固定部には、前記側板部の上端部を段差部を介して内側へ変位させた上端変位板部が設けられ、前記天板部の周縁部は前記上端変位板部を外側から覆うように形成されていると共に、前記天板部の角部周縁部の下端部に切欠き部が形成されたため、次の効果が得られる。
【００１６】
梱包状態にして複数段に段積みしたヒートポンプユニットの輸送中に、天板部に上方から荷重が作用し、天板部の弾性変形により天板部の周縁部が下方へ変位したとしても、前記天板部の角部周縁部の下端部に切欠き部が形成されているため、角部周縁部の下端部が側板部の段差部に接触しないから、段差部の塗膜が傷付けられることはない。
【００１７】
請求項２の発明によれば、前記切欠き部の高さは前記段差部の曲げ半径以上の高さであるため、輸送中に繰り返し振動が作用したとしても、角部周縁部の下端部が側板部の段差部に接触することはない。
【００１８】
請求項３の発明によれば、前記切欠き部は前記角部周縁の両側に所定長さだけ延びるように形成されているため、前記角部周縁の近傍部において側板部の上端変位板部と段差部が内側へ変位しにくくなっていても、その部位に対応する切欠き部を形成するため段差部の塗膜が傷付けられることはない。
【図面の簡単な説明】
【００１９】
【図１】本発明の実施例に係るヒートポンプユニットの斜視図である。
【図２】ヒートポンプユニットの一部とその外装構造の要部分解斜視図である。
【図３】図１のＡ部の拡大図である。
【図４】図３の状態から天板部を取り外した状態を示す斜視図である。
【図５】図３のＶ−Ｖ線断面図である。
【図６】図３のVI−VI線断面図である。
【図７】図６の段差部の拡大図である。
【発明を実施するための形態】
【００２０】
以下、本発明を実施するための形態について実施例に基づいて説明する。
【実施例１】
【００２１】
本実施例に係るヒートポンプユニット１は、圧縮機と凝縮熱交換器と膨張弁と蒸発熱交換器を冷媒配管により接続することでヒートポンプ回路を構成し、冷媒配管に封入された冷媒と外気の熱を利用して湯水を加熱する装置であり、これらの機器をユニット化して外装構造２（以下、外装ケース２という）内に収納している。
【００２２】
図１、図２に示すように、外装ケース２は、薄手の塗装鋼板製の直方体形状のものであり、背面には空気導入口が形成され、前面には蒸発熱交換器の送風ファン３の前面に臨む空気排出口４が形成され、右側面には配管接続部５が形成されている。
外装ケース２は、上方に開口したトレイ状の底板部１０と、下方に開口したトレイ状の天板部１１と、底板部１０と天板部１１とを接続する側板部１２とから箱状に構成されている。
【００２３】
側板部１２は、前側面の空気排出口以外の部分を覆う前面側板部１２ａと、左側面を覆う左面側板部１２ｂと、右面と後面の右端側部分を覆う右後面側板部１２ｃとを有する。
天板部１１とその下側の水平仕切板１３の間には凝縮熱交換器（図示略）が収容され、底板部１０の一部と天板部１１の一部と右後面側板部１２ｃと鉛直仕切板１４とで区画される機械室には、圧縮機や膨張弁や冷媒配管等の機器類（図示略）が収容される。
【００２４】
図１、図３、図５に示すように、天板部１１の外周部には、湾曲部１１ａとこの湾曲部１１ａの下端に連なる所定の上下幅の鉛直状の周縁部１１ｂが形成されている。
側板部１２の上端部と天板部１１の周縁部１１ｂとを固定する固定部１５には、側板部１２の上端部を段差部１６を介して内側へ変位させた上端変位板部１２ｅが形成されている。この上端変位板部１２ｅの上端から上方且つ内側へ向けて傾斜した案内用の傾斜部１２ｉも形成されている。
【００２５】
図５〜図７に示すように、前記の段差部１６は、側板部１２の平板部１２ｆや部分円筒部１２ｇの上端から内側へ湾曲する第１湾曲部１６ａと、この第１湾曲部１６ａの上端から上方へ屈曲状に湾曲する第２湾曲部１６ｂとで形成されている。
上端変位板部１２ｅは、平板部１２ｆや部分円筒部１２ｇから天板部１１の周縁部１１ｂの板厚の約２倍だけ内側へ変位した形に形成されている。天板部１１の周縁部１１ｂは上端変位板部１２ｅに緩く外嵌されて上端変位板部１２ｅを外側から覆うように形成され、天板部１１の周縁部１１ｂは複数のビス１７で上端変位板部１２ｅに固定されている。
【００２６】
図４に示すように、側板部１２の４つの角部１２ｇの各々の部分円筒状の上端変位板部１２ｅでは、前記案内用の傾斜部１２ｉが省略され、部分円筒状の上端変位板部１２ｅの上端部に、２つのＶ形凹部１８が内側へ突出する状態に形成されている。これらＶ形凹部１８は、側板部１２の角部１２ｇを部分円筒状にプレス加工する加工性を良好にするためのものである。
【００２７】
梱包状態のヒートポンプユニット１を上下に段積みして輸送する際に、天板部１１に上方から作用する荷重により天板部１１が弾性変形して、天板部１１の角部周縁部１１ｂｒの下端部が段差部１６に押圧状に接触して塗膜を損傷するのを防止するために、次のような切欠き部１９が形成されている。
【００２８】
図３、図６、図７に示すように、天板部１１の４つの角部１１ｒの各々において、天板部１１の角部周縁部１１ｂｒの下端部に切欠き部１９が形成されている。この切欠き部１９の高さＨは段差部１６の曲げ半径（第２湾曲部１６ｂの曲げ半径Ｒ）以上の高さ（例えば、２〜４ｍｍ）にすることが望ましい。
【００２９】
切欠き部１９は角部周縁部１１ｂｒの下端部に形成された湾曲状切欠き部１９ａと、この湾曲状切欠き部１９ａの両側に所定長さだけ直線的に延びる直線状切欠き部１９ｂとを含む。直線状切欠き部１９ｂは、天板部１１の平板状の周縁部１１ｂの下端部に形成されている。直線状切欠き部１９ｂを形成するため、角部周縁１１ｂｒの近傍部においては側板部１２の上端変位板部１２ｅと段差部１６が内側へ変位しにくくなっているが、その部位に対応する切欠き部を形成するため段差部の塗膜が傷付けられることはない。
【００３０】
以上説明した外装ケース２の作用、効果について説明する。
梱包状態にして複数段に段積みしたヒートポンプユニット１の輸送中に、天板部１１に上方から荷重が作用し、天板部１１の弾性変形により天板部１１の周縁部１１ｂが下方へ変位したとしても、天板部１１の角部周縁部１１ｂｒの下端部に切欠き部１９が形成されているため、角部周縁部１１ｂｒの下端部が側板部１２の段差部１６に接触しないから、段差部１６の塗膜が傷付けられることはない。
【００３１】
切欠き部１９の高さＨは段差部１６の曲げ半径Ｒ以上の高さであるため、段差部１６の水平方向寸法を図７の状態より小さく形成したとしても、輸送中に繰り返し振動が作用しても、角部周縁部１１ｂｒの下端部が側板部１２の段差部１６に接触することはない。しかも、切欠き部１９の高さＨは２〜４ｍｍ程度であるため、外装ケース２の外観が悪化することもない。
【００３２】
特に、切欠き部１９は角部周縁部１１ｂｒの下端部に形成された湾曲状切欠き部１９ａと、この湾曲状切欠き部１９ａの両側に所定長さだけ直線的に延びる直線状切欠き部１９ｂとを含むため、角部周縁部１１ｂｒの近傍部において、側板部１２の上端変位板部１２ｅと段差部１６が内側へ変位しにくくなっていても、その部位に対応する直線状切欠き部１９ｂを形成するため、段差部１６の塗膜が傷付けられることはない。
【００３３】
前記実施例は一例に過ぎず、当業者であれば、本発明の趣旨を逸脱することなく前記実施例に種々の変更を付加した形態で実施可能であり、本発明はそのような変更形態をも包含するものである。
【符号の説明】
【００３４】
１      ヒートポンプユニット
２      外装ケース（外装構造）
１０    底板部
１１    天板部
１１ｂ  周縁部
１１ｂｒ  角部周縁部
１２    側板部
１２ｅ    上端変位板部
１５    固定部
１６    段差部
１９    切欠き部
１９ａ  湾曲状切欠き部
１９ｂ  直線状切欠き部
【図１】
0006663564.tif 000002
【図２】
0006663564.tif 000003
【図３】
0006663564.tif 000004
【図４】
0006663564.tif 000005
【図５】
0006663564.tif 000006
【図６】
0006663564.tif 000007
【図７】
0006663564.tif 000008